(57)【要約】【課題】ティッシュペーパーのポップアップ口を斜め上方に向けることで、使い勝手を良くすると共に、底面部の閉塞蓋を省略することで収納ケースの低廉化と簡易形状化を実現するティッシュペーパー収納ケースを提供する。【解決手段】ティッシュペーパー収納ケースの上面が斜め上方向に傾斜するように、上側面の奥行き方向所定長さ位置から下方内側に向けて傾斜する係止側面を設けることで、該係止側面の下端辺と上側面に対向する底側面の下端辺との間隙に開口する底面が形成されて成り、該係止側面の内側がティッシュペーパーボックスの角辺を支持する受け部として機能すると共に、該底側面の内側がティッシュペーパーボックスの一側面若しくは角辺を支持する受け面として機能する手段を採用する。【選択図】図１
2020063068.tif 000002
【特許請求の範囲】
【請求項１】
ポップアップ口が設けられる上面が斜め上方を向き、底面が全面開放されて成るティッシュペーパー収納ケースであって、
前記上面が斜め上方向に傾斜するように上側面の奥行き方向所定長さ位置から下方内側に向けて傾斜する係止側面を設けることで、該係止側面の下端辺と上側面に対向する底側面の下端辺との間隙に開口する底面が形成されて成り、該係止側面の内側がティッシュペーパーボックスの角辺を支持する受け部として機能すると共に、該底側面の内側がティッシュペーパーボックスの一側面若しくは角辺を支持する受け面として機能することを特徴とするティッシュペーパー収納ケース。
【請求項２】
前記ティッシュペーパー収納ケースにおいて、前記底側面と前記底面が交差する底側面端に、ティッシュペーパーボックスの脱落防止を図る係止突起が備えられて成ることを特徴とする請求項１に記載のティッシュペーパー収納ケース。
【請求項３】
前記ティッシュペーパー収納ケースにおいて、前記底側面の内側に、ティッシュペーパーボックスの脱落防止を図るスベリ止め手段が備えられて成ることを特徴とする請求項１または請求項２に記載のティッシュペーパー収納ケース。
【請求項４】
前記ティッシュペーパー収納ケースが、上下に複数段若しくは左右に複数列合体して構成されることで、複数のティッシュペーパーボックスが収納可能であることを特徴とする請求項１から請求項３のいずれかに記載のティッシュペーパー収納ケース。
【発明の詳細な説明】
【技術分野】
【０００１】
本発明は、ティッシュペーパーのポップアップ口を斜め上方に向けることで使い勝手を良くすると共に、底面部の閉塞蓋を省略することで収納ケースの低廉化と簡易形状化を図ったティッシュペーパー収納ケースに関する。
【背景技術】
【０００２】
従来から日常的に使用しているティッシュペーパーボックスは、ティッシュペーパーのポップアップ口の上方空間が十分に確保された状態で、ティッシュペーパーを真上から鉛直上方に引き出して使用しているのが一般的であるが、実際には斜め上方へティッシュペーパーを引き出せる方が使い勝手が良い場合が多い。しかしながら、ポップアップ口がティッシュペーパーボックスの上面に備えられている場合にティッシュペーパーを斜め上方に引き出そうとすると、該ティッシュペーパーがポップアップ口に引っ掛かって途中で切れてしまったり、ティッシュペーパーボックスが横方向に動いて上手く引き出せなかったりと、使い勝手の悪いものであった。
【０００３】
上記の使い勝手の悪さを解決すべく、従来よりティッシュペーパーの収納ケースに関する提案が数多く為されている。例えば、ティッシュペーパー容器ホルダーを傾斜状に支承してティッシュペーパーを常に取出し易くした「ティッシュペーパー容器ホルダー」（特許文献１）が提案されている。
【０００４】
しかしながら、かかる「ティッシュペーパー容器ホルダー」の提案は、ティッシュペーパー容器を傾斜状に支承し得るようにしたホルダーを形成して製品化されているものであるが、ホルダーを射出成型機で製造するには型代が高価となるものであり、部品点数も数個にのぼり、さらに組み立て工数も必要とすることから、商品価格が高額になるといった問題点があった。
【０００５】
また、安価に提供でき、嵩張らず、多種類のデザインのものを容易に提供でき、汚れたときの廃棄も容易な「折畳みティッシュペーパホルダ」（特許文献２）が提案されている。
【０００６】
しかしながら、かかる「折畳みティッシュペーパホルダ」の提案は、板紙製の筒体と挿入体で形成される板紙製箱体とその箱体内に内挿される板紙製挿入体とからなり、前記箱体は、中央に縦方向の折畳み線を備えた台形の両側板と、山折線を介して両側板の前縁相互間に位置する中央に長孔を備えた前面板と、第２の山折線を介して両側板の後縁の少なくとも下部相互間に位置する背面板と、これら両側板の底辺及び／又は前面板と背面板の底辺から内側に折り込まれて底面を形成する底形成片とを備え、前記挿入体は、前記側板の前縁と等しい傾斜角の前縁を備えた台形ないし三角形の内側板と、山折線を介して両内側板の前縁相互間に位置する受板とを備えて製品化されるものであるが、箱体が板紙製であるため耐久性に乏しく、また折り畳み作業を必要とすることから、折畳みティッシュペーパホルダを設置するに当たって手間隙を必要とする上、面倒でもあった。
【０００７】
また、塵箱と斜めに傾斜させたティッシュペーパーケースを合体させた「塵箱を備えたティッシュペーパーケース」（特許文献３）が提案されている。
【０００８】
しかしながら、かかる「塵箱を備えたティッシュペーパーケース」の提案は、上部に塵投入口が開口する塵箱と該塵箱に一体的に所定角度傾斜して隣設され、一側壁に斜め上方向に向けて開口するティッシュペーパー取り出し口が形成され且つ内部にティッシュペーパー収納部が形成された縦型のティッシュペーパーケースとから成るものであるが、ティッシュペーパーの取り出し口が斜め上方向を向いているため上方の空間は有効利用できるが、屑箱の使用に当たっては上方空間を必要とするものであり、合体されたティッシュペーパーケースを使用するに当たっては、結局上方空間を確保しなければならないという問題点があるものであった。
【０００９】
また、ティッシュボックスを単なる紙箱としてだけでなく、利用する人がどんな状態のときでも、ティッシュが取り出し易く、場所取りの小物類が整理され、受験生であれば希望校の名前などを書いた紙を、企業であれば商品の名前、会社名などステッカーを貼って宣伝用に、お年寄りであれば、お孫さんや家族の写真を貼るなど、ティッシュが身近な存在であるだけにその価値を高める「ティッシュ箱収納と併用ボックス」（特許文献４）が提案されている。
【００１０】
しかしながら、かかる「ティッシュ箱収納と併用ボックス」の提案は、ティッシュボックスを収納できる空洞を有し、傾斜状態に収納でき、収納ボックスの自重により、最後の一枚まで引き抜くことができる手段を採用しているものであるが、併用ボックス自体の仕様が複雑且つ、高額である問題があるものであった。
【００１１】
本出願人は、以上のような従来のティッシュペーパー収納ケースの使い勝手の問題と、製品の低廉化の問題と、簡易形状化の問題等に着目し、それらの問題点を簡便且つ容易な手段で一挙に解決することができないものかという着想の下、ティッシュペーパーのポップアップ口を斜め上方に向けて使い勝手を良くすると共に、底面部の閉塞蓋を省略して収納ケースの低廉化と簡易形状化を図ったティッシュペーパー収納ケースを開発し、本発明における「ティッシュペーパー収納ケース」の提案に至るものである。
【先行技術文献】
【特許文献】
【００１２】
【特許文献１】特開平８-２１５０９８号公報
【特許文献２】特開２００６-２０６０９８号公報
【特許文献３】実開昭６２-２５６８０号公報
【特許文献４】特開２００９-２９４２９号公報
【発明の概要】
【発明が解決しようとする課題】
【００１３】
本発明は、上記問題点に鑑みて為されたものであって、ティッシュペーパーのポップアップ口を斜め上方に向けて使い勝手を良くすると共に、底面部の閉塞蓋を省略することで、収納ケースの低廉化と簡易形状化を図ったティッシュペーパー収納ケースを提供することを課題とする。
【課題を解決するための手段】
【００１４】
上記課題を解決するため、本発明は、ポップアップ口が設けられる上面が斜め上方を向き、底面が全面開放されて成るティッシュペーパー収納ケースであって、上面が斜め上方向に傾斜するように上側面の奥行き方向所定長さ位置から下方内側に向けて傾斜する係止側面を設けることで、該係止側面の下端辺と上側面に対向する底側面の下端辺との間隙に開口する底面が形成されて成り、該係止側面の内側がティッシュペーパーボックスの角辺を支持する受け部として機能すると共に、該底側面の内側がティッシュペーパーボックスの一側面若しくは角辺を支持する受け面として機能する手段を採用する。
【００１５】
また、本発明は、前記ティッシュペーパー収納ケースにおいて、底側面と底面が交差する底側面端に、ティッシュペーパーボックスの脱落防止を図る係止突起が備えられて成る手段を採用する。
【００１６】
さらに、本発明は、前記ティッシュペーパー収納ケースにおいて、底側面の内側に、ティッシュペーパーボックスの脱落防止を図るスベリ止め手段が備えられて成る手段を採用する。
【００１７】
またさらに、本発明は、前記ティッシュペーパー収納ケースが、上下に複数段若しくは左右に複数列合体して構成されることで、複数のティッシュペーパーボックスが収納可能である手段を採用する。
【発明の効果】
【００１８】
本発明にかかるティッシュペーパー収納ケースによれば、ティッシュペーパーのポップアップ口が斜め上方を向いていることから、上方空間と側方空間の両方の有効利用が図られると共に、ティッシュペーパーを引き出す際に切れたりティッシュペーパーボックスが動いてしまうことなく、使い勝手良く使用することができる、といった優れた効果を奏する。
【００１９】
また、本発明にかかるティッシュペーパー収納ケースによれば、開放された底面部から容易にティッシュペーパーボックスの出し入れが可能であって、消費されたティッシュペーパーボックスの交換作業において煩雑な作業を行うことなく簡単に行える、といった優れた効果を奏する。
【００２０】
さらに、本発明にかかるティッシュペーパー収納ケースによれば、収納ケース自体を厚紙製、合成樹脂製、パルプモールド製など一般に普及している低価格の材料を利用することができることから、収納ケースの低廉化が図れる、といった優れた効果を奏する。  
【図面の簡単な説明】
【００２１】
【図１】本発明にかかるティッシュペーパー収納ケースの実施形態を示す説明図である。（実施例１）
【図２】本発明にかかるティッシュペーパー収納ケースの他の実施形態を示す断面説明図である。（実施例２）
【図３】本発明にかかるティッシュペーパー収納ケースの他の実施形態を示す断面説明図である。（実施例３）
【図４】本発明にかかるティッシュペーパー収納ケースの使用状態を示す説明図である。（実施例４）
【図５】本発明にかかるティッシュペーパー収納ケースの他の実施形態を示す説明図である。（実施例５）
【発明を実施するための形態】
【００２２】
本発明にかかるティッシュペーパー収納ケース１０は、ポップアップ口２６が設けられる上面２０が斜め上方を向き、底面２１が全面開放されて成るティッシュペーパー収納ケース１０であって、上面２０が斜め上方向に傾斜するように上側面２２の奥行き方向所定長さ位置から下方内側に向けて傾斜する係止側面２５を設けることで、該係止側面２５の下端辺と上側面２２に対向する底側面２３の下端辺との間隙に開口する底面２１が形成されて成り、該係止側面２５の内側がティッシュペーパーボックスＢの角辺の全体あるいは一部を支持する受け部２５ａとして機能すると共に、該底側面２３の内側がティッシュペーパーボックスＢの一側面若しくは角辺の全体あるいは一部を支持する受け面２３ａとして機能する手段を採ったことを最大の特徴とする。
以下、本発明にかかるティッシュペーパー収納ケース１０の実施形態を、図面に基づいて説明する。
【００２３】
尚、本発明におけるティッシュペーパー収納ケース１０は、以下に述べる実施例に特に限定されるものではなく、本発明の技術的思想の範囲内、すなわち同一の作用効果を発揮できる形状や寸法等の範囲内で、適宜変更することができる。
【実施例１】
【００２４】
図１は、本発明にかかるティッシュペーパー収納ケース１０の実施形態を示す説明図であり、図１（ａ）は全体斜視図、図１（ｂ）は側断面図である。
本発明にかかるティッシュペーパー収納ケース１０は、ティッシュペーパーを取り出すポップアップ口２６が設けられる上面２０を斜め上方に向けることにより、取り出し作業を容易にし、また、ティッシュペーパーボックスＢの交換作業を容易にするために、底面２１を全面開放するもので、上面２０、底面２１、上側面２２、底側面２３、両側面２４並びに係止側面２５により構成されている。
【００２５】
上面２０は、上側面２２と底側面２３と両側面２４に夫々略直角に隣接して設けられ、所定箇所に収納部１１まで貫通するポップアップ口２６が形成されて成り、該ポップアップ口２６が斜め上方向に傾斜するように形成される。
【００２６】
上側面２２は、上面２０及び両側面２４に夫々略直角に隣接すると共に、底側面２３と略平行に対向して設けられ、且つ、奥行き方向２２ａの所定長さ位置において下方内側に向けて鈍角に傾斜する係止側面２５と隣接して設けられる。
【００２７】
底側面２３は、上面２０及び両側面２４に夫々略直角に隣接すると共に、上側面２２と略平行に対向して設けられ、且つ、底面２１と鈍角に隣接して設けられる。そして、該底側面２３の内側は、ティッシュペーパーボックスＢの一側面若しくは角辺の全体あるいは一部を支持して該ティッシュペーパーボックスＢを傾斜状態で載置し得る受け面２３ａとして機能する。
【００２８】
係止側面２５は、上側面２２における奥行き方向２２ａの所定長さ位置において下方内側に向けて鈍角に傾斜して設けられるもので、それにより底面２１及び上側面２２に夫々鈍角に隣接すると共に、両側面２４と略直角に隣接して設けられる。そして、該係止側面２５の内側は、ティッシュペーパーボックスＢの角辺の全体あるいは一部を支持して該ティッシュペーパーボックスＢを傾斜状態で載置し得る受け部２５ａとして機能する。
【００２９】
底面２１は、係止側面２５の下端辺と上側面２２に対向する底側面２３の下端辺との間隙に開口して設けられるもので、底側面２３及び係止側面２５に夫々鋭角に隣接し、さらに両側面２４と略直角に隣接した状態で、全体が全面開放された開口部２１ａとして存しており、床面上に据え置かれたり、ティッシュペーパーボックスＢの出し入れ交換時に使用される。
【００３０】
両側面２４は、上面２０と底面２１と上側面２２と底側面２３と係止側面２５に夫々略直角に隣接して設けられるもので、かかる上面２０と底面２１と上側面２２と底側面２３と係止側面２５で囲まれた空間の左右両側を閉塞すべく、対向した状態で左右夫々に設けられる。
【００３１】
上記各構成（上面２０，底面２１，上側面２２，底側面２３，両側面２４，係止側面２５）により囲まれた空間は、ティッシュペーパーボックスＢが収納される収納部１１として機能する。すなわち、本発明にかかるティッシュペーパー収納ケース１０の全体大きさは、収納部１１にティッシュペーパーボックスＢを収納し得るだけの大きさを有し、さらに詳細には、収納時及び交換時においてティッシュペーパーボックスＢを無理なく収納・取り外しできるよう、収納部１１をティッシュペーパーボックスＢより一回り大きく成形することで、該収納部１１には収納されたティッシュペーパーボックスＢとの間に隙間空間１２が形成される態様となっている。
【００３２】
以上で構成されるティッシュペーパー収納ケース１０内へのティッシュペーパーボックスＢの収納態様は、図１（ｂ）に示すように、ティッシュペーパーボックスＢの一側面若しくは一の角辺が底側面２３の内側（特に底側面端２８）に当接し、且つ、ティッシュペーパーボックスＢの一の角辺が係止側面２５の内側に当接して、ティッシュペーパー収納ケース１０内でティッシュペーパーボックスＢが傾斜状態で確実に係止される態様となる。
【００３３】
以上のとおり、本実施形態にかかるティッシュペーパー収納ケース１０によれば、ティッシュペーパーのポップアップ口２６を斜め上方に向けることにより、ティッシュペーパーを引き出す際の使い勝手を良くすると共に、底面２１の開口部２１aを開放することにより、ティッシュペーパーボックスＢの出し入れを容易なものとし、さらには、ティッシュペーパー収納ケース１０の簡易形状化を図ることができる。
【実施例２】
【００３４】
本発明の他の実施例について、図２に基づき説明する。上記実施例１と同様の部分は、説明を省略する。
図２は、本発明にかかるティッシュペーパー収納ケースの他の実施形態を示す断面説明図である。
本発明にかかるティッシュペーパー収納ケース１０として、底側面２３と底面２１が交差する底側面端２８に、ティッシュペーパーボックスＢの脱落防止を図る係止突起２７を設ける態様を採用し得る。
【００３５】
係止突起２７は、底側面２３と底面２１が交差する底側面端２８の端辺全体や端辺所定箇所に、接着剤の塊や紙製、合成樹脂製の突起を設けて成るもので、これにより底側面２３が収納部１１に収納されるティッシュペーパーボックスＢの一側面若しくは角辺の全体あるいは一部を支持して、該ティッシュペーパーボックスＢの脱落防止を確実にする為のものである。
【００３６】
以上のとおり、本発明にかかるティッシュペーパー収納ケース１０によれば、係止突起２７がティッシュペーパー収納ケース１０内に設けられることによって、収納されたティッシュペーパーボックスＢを確実に係止することができると共に、ティッシュペーパー収納ケース１０自体を移動させる際、ティッシュペーパー収納ケース１０からティッシュペーパーボックスＢが脱落するのを防止するべく機能する。
【実施例３】
【００３７】
本発明の他の実施例について、図３に基づき説明する。上記実施例１並びに実施例２と同様の部分は、説明を省略する。
図３は、本発明にかかるティッシュペーパー収納ケースの他の実施形態を示す断面説明図である。
本発明にかかるティッシュペーパー収納ケース１０として、底側面２３の内側に、ティッシュペーパーボックスＢの脱落防止を図るスベリ止め手段２９を設ける態様を採用し得る。
【００３８】
スベリ止め手段２９は、例えば、ゴム体、凹凸状の布や紙、合成樹脂材等で面状あるいは突状に形成されるもので、底側面２３内側の受け面２３ａ全体若しくは部分的に一乃至複数のスベリ止め手段２９が配設されることで、収納部１１に収納されるティッシュペーパーボックスＢの脱落防止を確実にする為のものである。
【００３９】
以上のとおり、本実施形態にかかるティッシュペーパー収納ケース１０によれば、スベリ止め手段２９がティッシュペーパー収納ケース１０内における底側面２３の内側に設けられることによって、収納されたティッシュペーパーボックスＢを確実に係止することができると共に、ティッシュペーパー収納ケース１０自体を移動させる際、ティッシュペーパー収納ケース１０からティッシュペーパーボックスＢが脱落するのを防止するべく機能する。
【実施例４】
【００４０】
図４は、本発明にかかるティッシュペーパー収納ケース１０の使用状態を示す説明図であり、（ａ）は挿入時の状態、（ｂ）は挿入後の状態を示している。
挿入時において、（ａ）に示すように、ティッシュペーパー収納ケース１０の底面２１の開口部２１aから、ティッシュペーパーボックスＢを適正な向きで収納部１１へ押し込み収納する。その際、先ずは係止側面２５に沿ってティッシュペーパーボックスＢを上方へ押し込み、その後収納部１１内にてティッシュペーパーボックスＢを回動させ、該ティッシュペーパーボックスＢの一側面をティッシュペーパー収納ケース１０の底側面２３の内側の受け面２３ａに当接させる。
【００４１】
挿入後は、（ｂ）に示すように、押し込んだティッシュペーパーボックスＢを解放する。すると、底側面２３の内側に当接したティッシュペーパーボックスＢの一側面において、底側面端２８と接する角辺を軸にティッシュペーパーボックスＢが隙間空間１２を回動し、該ティッシュペーパーボックスＢの他の角辺が係止側面２５の内側の受け部２５ａに当接する。これにより、ティッシュペーパーボックスＢがティッシュペーパー収納ケース１０内で係止される。
【００４２】
以上のように、本発明にかかるティッシュペーパー収納ケース１０は、単にティッシュペーパーボックスＢをティッシュペーパー収納ケース１０に押し込むだけで容易に収納することができると共に、収納状態で確実に係止され、さらに取り出し時は、ティッシュペーパーボックスＢの係止状態を外すだけで簡単に取り出すことが可能である。
【実施例５】
【００４３】
図５は、本発明にかかるティッシュペーパー収納ケース１０の他の実施形態を示す説明図である。
図５（ａ）は、ティッシュペーパー収納ケース１０を上下に二段重ねて合体させたもので、ティッシュペーパーの使用量が多い場所に設置すると好適であり、ティッシュペーパーボックスＢの交換時期を遅延させることも可能となる。
【００４４】
図５（ｂ）は、ティッシュペーパー収納ケース１０の上面２０に形成されるポップアップ口２６を縦長にすることで、据え置き方向・ティッシュペーパーボックスＢの収納方向を縦型にする態様であって、設置幅の省スペース化が図られ、例えば本棚の書籍の間などに入れて使用すると便利である。  
【００４５】
図５（ｃ）は、ティッシュペーパー収納ケース１０に形成されるポップアップ口２６を上面２０ではなく両側面２４の一方に形成することで、据え置き方向を横型にしてティッシュペーパーボックスＢの収納方向を横向きにする態様であって、側面設置スペースの省スペース化が図られ、例えば壁面等に備え付けて設置すると便利である。
【００４６】
図５（ｄ）は、縦長のポップアップ口２６を備えるティッシュペーパー収納ケース１０について、上面２０の向きを前後互い違いにしつつ左右に二列並べて上面２０略中間箇所でクロスする様に合体させたもので、両方向からティッシュペーパーを抜き取り使用することが可能であって、例えばテーブルの中央に備え付けて設置すると便利である。
【００４７】
図５（ｅ）は、縦長のポップアップ口２６を備えるティッシュペーパー収納ケース１０について、上面２０の向きを前後互い違いにしつつ左右に二列並べて上端面２２略中間箇所でクロスする様に合体させ、且つ、胴下に化粧枠体３０を備えたもので、図５（ｄ）と同様、両方向からティッシュペーパーを抜き取り使用することが可能であって、例えばテーブルの中央に備え付けて設置すると便利であると共に、化粧枠体３０について収納部１１と通ずる中空構造を採用することにより、該化粧枠体３０内に予備のティッシュペーパーボックスＢが収容可能であり、交換時の利便性向上に資するものである。
【００４８】
図５（ｆ）は、ティッシュペーパー収納ケース１０の底面２１下方に嵩上げされた中空の開口基台３１を備え、且つ、該開口基台３１の下方を基台閉蓋３２で閉塞する態様であって、中空の開口基台３１内には予備のティッシュペーパーボックスＢを収容可能となっており、基台閉蓋３２で閉塞されていることから、移動時であっても開口基台３１内に収容されたティッシュペーパーボックスＢが落下することなく、交換時の利便性向上に資するものである。
【産業上の利用可能性】
【００４９】
本発明にかかるティッシュペーパー収納ケースは、ティッシュペーパーのポップアップ口を斜め上方に向けて使い勝手を良くすると共に、底面の閉塞蓋を省略することで収納ケースの低廉化と簡易形状化が図られるもので、さらに形態のバリエーション化を図ることで、用途に合わせて最適なティッシュペーパー収納ケースを提供することが可能である。したがって、本発明にかかる「ティッシュペーパー収納ケース」の産業上の利用可能性は極めて大であると思料する。
【符号の説明】
【００５０】
１０    ティッシュペーパー収納ケース
１１    収納部
１２    隙間空間
２０    上面
２１    底面
２１ａ  開口部
２２    上側面
２２ａ  奥行き方向
２３    底側面
２３ａ  受け面
２４    両側面
２５    係止側面
２５ａ  受け部
２６    ポップアップ口
２７    係止突起
２８    底側面端
２９    スベリ止め手段
３０    化粧枠体
３１    開口基台
３２    基台閉蓋
Ｂ    ティッシュペーパーボックス
【図１】
2020063068.tif 000003
【図２】
2020063068.tif 000004
【図３】
2020063068.tif 000005
【図４】
2020063068.tif 000006
【図５】
2020063068.tif 000007